(57)【要約】【課題】硬貨を硬貨識別器の硬貨入口で詰まり難くすることができる硬貨識別装置を提供する。【解決手段】硬貨識別装置６は、運賃箱が受け入れた硬貨を規定枚数ずつ下方に送る一対の第１硬貨案内部９及び第２硬貨案内部１０の下方に、硬貨通路を切り替え可能なシャッタ部３１を備える。第１硬貨案内部９及び第２硬貨案内部１０の間で硬貨が詰まったとき、第２硬貨案内部１０が第１硬貨案内部９から離間し、詰まった硬貨が落とされる。第２硬貨案内部１０が第１硬貨案内部９から離間するとき、シャッタ部３１は、閉方向に回動して、硬貨識別器２７の上方を覆う。これにより、落下させられた硬貨は、硬貨識別器２７の硬貨入口２８ａではなく、硬貨シュート３０に送られる。【選択図】図４
2015102970.tif 000002
【特許請求の範囲】
【請求項１】
位置が固定された第１硬貨案内部と移動可能に設けられた第２硬貨案内部とを有し、前記第１硬貨案内部及び前記第２硬貨案内部の間から硬貨を規定枚数ずつ下方の硬貨識別器の硬貨入口へと送り、前記第１硬貨案内部及び前記第２硬貨案内部の間に硬貨が詰まったとき、前記第２硬貨案内部が移動することにより前記第１硬貨案内部及び前記第２硬貨案内部の間を広げて、詰まった硬貨を落下させる硬貨整列器を備える硬貨識別装置において、
前記第２硬貨案内部が前記第１硬貨案内部から離間して開拡状態をとるときに前記硬貨識別器の硬貨入口を覆うシャッタ部を備えた
ことを特徴とする硬貨識別装置。
【請求項２】
前記シャッタ部は、前記第２硬貨案内部が開拡状態をとるときの動きに連動して閉状態をとる
ことを特徴とする請求項１に記載の硬貨識別装置。
【請求項３】
前記第２硬貨案内部の開拡方向への動作により前記シャッタ部が閉方向に動作し始めても、暫くの間、硬貨通路を通常の通路幅のまま維持する通路幅調整部を備えた
ことを特徴とする請求項１又は２に記載の硬貨識別装置。
【請求項４】
前記第２硬貨案内部の狭窄状態又は開拡状態に応じて、受け入れた硬貨の案内方向を切り替える硬貨案内補助部を備えた
ことを特徴とする請求項１〜３のうちいずれか一項に記載の硬貨識別装置。
【発明の詳細な説明】
【技術分野】
【０００１】
本発明は、受け入れた硬貨の種類を識別する硬貨識別装置に関する。
【背景技術】
【０００２】
従来、例えば運賃箱等に設けられた硬貨識別装置が周知である（特許文献１等参照）。特許文献１の硬貨識別装置は、対向配置された一対のローラ部を回動させ、受け入れた硬貨を一対のローラ部の間の隙間から規定枚数ずつ下方に落下させる。そして、硬貨識別装置の内部に設けられた硬貨識別器で硬貨種類を識別する。一対のローラ部は、固定側ローラ部と可動側ローラ部として設けられ、これらローラ部の間で硬貨が詰まると、可動側ローラ部が固定側ローラ部に対して動いて両ローラ部の間隔を拡大することにより、間に詰まった硬貨が下方に落とされる。
【先行技術文献】
【特許文献】
【０００３】
【特許文献１】特開２０１２−１６４２９９号公報
【発明の概要】
【発明が解決しようとする課題】
【０００４】
ところで、可動側ローラ部を固定側ローラ部に対して離間させて詰まった硬貨を落下させたとき、これら硬貨が硬貨識別器の硬貨入口に一度に数枚入り込んでしまうことがあり、硬貨入口が詰まってしまう問題があった。
【０００５】
本発明の目的は、硬貨を硬貨識別器の硬貨入口で詰まり難くすることができる硬貨識別装置を提供することにある。
【課題を解決するための手段】
【０００６】
前記問題点を解決する硬貨識別装置は、位置が固定された第１硬貨案内部と移動可能に設けられた第２硬貨案内部とを有し、前記第１硬貨案内部及び前記第２硬貨案内部の間から硬貨を規定枚数ずつ下方の硬貨識別器の硬貨入口へと送り、前記第１硬貨案内部及び前記第２硬貨案内部の間に硬貨が詰まったとき、前記第２硬貨案内部が移動することにより前記第１硬貨案内部及び前記第２硬貨案内部の間を広げて、詰まった硬貨を落下させる硬貨整列器を備える構成において、前記第２硬貨案内部が前記第１硬貨案内部から離間して開拡状態をとるときに前記硬貨識別器の硬貨入口を覆うシャッタ部を備えた。
【０００７】
本構成によれば、第２硬貨案内部が第１硬貨案内部から離間して詰まった硬貨を落下させるとき、シャッタ部を閉状態にすることにより、硬貨識別器の硬貨入口をシャッタ部によって覆う。このため、詰まった硬貨が硬貨識別器の硬貨入口に一気に流入する状況が生じ難くなる。よって、硬貨識別器の硬貨入口における硬貨詰まりを生じ難くすることが可能となる。
【発明の効果】
【０００８】
本発明によれば、硬貨を硬貨識別器の硬貨入口で詰まり難くすることができる。
【図面の簡単な説明】
【０００９】
【図１】一実施形態の運賃箱の斜視図。
【図２】運賃箱の内部構造を示す斜視図。
【図３】硬貨識別装置の内部構造を示し、（ａ）は第２硬貨案内部が狭窄状態のときの斜視図、（ｂ）は第２硬貨案内部が開拡状態のときの斜視図。
【図４】硬貨識別装置の内部構造を示す部分拡大斜視図。
【図５】シャッタ部、硬貨識別器及び硬貨シュート付近の構成図。
【図６】シャッタ部及びその周辺を裏面側から見た斜視図であり、（ａ）は第２硬貨案内部が狭窄状態のときの図、（ｂ）は第２硬貨案内部が開拡状態のときの図。
【図７】シャッタ部及びその周辺の部品群の分解斜視図。
【図８】硬貨識別装置の電気構成図。
【図９】（ａ）〜（ｃ）は第１硬貨案内部と狭窄状態の第２硬貨案内部とが硬貨を下方に繰り出すときの動作図。
【図１０】狭窄状態をとる通路幅調整部の外観図。
【図１１】（ａ），（ｂ）は第２硬貨案内部が狭窄状態の際にシャッタ部及び硬貨案内補助部が硬貨を下方に繰り出すときの動作図。
【図１２】（ａ），（ｂ）は第２硬貨案内部が開拡状態をとるときの動作図。
【図１３】（ａ）〜（ｃ）は第２硬貨案内部が開拡状態をとるときのシャッタ部及び通路幅調整部の動作図。
【図１４】（ａ），（ｂ）は第２硬貨案内部が開拡状態をとるときのシャッタ部及び硬貨案内補助部の動作図。
【発明を実施するための形態】
【００１０】
以下、硬貨識別装置の一実施形態を図１〜図１４に従って説明する。
図１に示すように、運賃箱１は、運賃としての硬貨の受入口となる硬貨受入口２を備える。硬貨受入口２は、例えば運賃箱１の上部に配置されることが好ましい。運賃箱１は、本体部分となるハウジング３と、ハウジング３の上部開口を開閉可能な蓋部４とを備えることが好ましい。蓋部４には、例えば錠前５（図２に図示）が設けられることが好ましく、鍵によって錠前５が解錠されることにより、蓋部４が開閉可能になることが好ましい。
【００１１】
図２に示すように、運賃箱１は、硬貨受入口２から受け入れた硬貨の種類を識別する硬貨識別装置６を備える。硬貨識別装置６は、ハウジング３内に区画形成された収納部７に着脱可能に収納されることが好ましい。硬貨識別装置６は、例えば上部に硬貨受入口２を備えることが好ましい。収納部７にセットされた硬貨識別装置６は、蓋部４が閉じられたとき、蓋部４に貫設された開口部８から硬貨受入口２が外部に露出することが好ましい。
【００１２】
図３（ａ），（ｂ）に示すように、硬貨識別装置６は、硬貨識別装置６が受け入れた硬貨を規定枚数ずつ下方に送る一対の第１硬貨案内部９及び第２硬貨案内部１０を備える硬貨整列器６Ａを備える。第２硬貨案内部１０は、位置が固定された第１硬貨案内部９に対して所定方向に離間及び接近可能に設けられる。第１硬貨案内部９は、受け入れた硬貨を整流する整流ローラ１５と、整流後の硬貨を下方に送る送りローラ１６とを備えることが好ましい。整流ローラ１５は、回動シャフト１２により第１硬貨案内部９のフレーム１４に回動可能に軸支され、送りローラ１６は、回動シャフト１３によりフレーム１４に回動可能に軸支されるとよい。硬貨識別装置６は、回動シャフト１１の回転量をセンサ５８（図６等参照）で検出することにより、回動シャフト１１〜１３の回転速度を検出してもよい。回動シャフト１１〜１３は、１１，１２が硬貨識別装置６の幅方向（図３のＹ軸方向）に並んで配置され、１１，１３が硬貨識別装置６の高さ方向（図３のＺ軸方向）に並んで配置されるとよい。
【００１３】
第２硬貨案内部１０は、送りローラ１６に対して反対方向に回転する逆転ローラ１９を備えることが好ましい。逆転ローラ１９は、１つの回動シャフト１７によって第２硬貨案内部１０のフレーム１８に回動可能に軸支されることが好ましい。回動シャフト１７は、回動シャフト１３と硬貨識別装置６の幅方向に並んで配置されるとよい。硬貨受入口２から受け入れた硬貨は、第１硬貨案内部９の通路壁２０と第２硬貨案内部１０の通路壁２１との間から、一対の送りローラ１６及び逆転ローラ１９の間を通って、硬貨識別装置６の内部に流入する。
【００１４】
第２硬貨案内部１０は、第１硬貨案内部９に対して離間／接近の動きをとることが可能となるように、硬貨識別装置６のフレームに可動可能に取り付けられている。これにより、第２硬貨案内部１０は、第１硬貨案内部９に接近した狭窄状態（図３（ａ）の状態）と、第１硬貨案内部９から離間した開拡状態（図３（ｂ）の状態）との２状態をとる。第２硬貨案内部１０は、硬貨識別装置６の幅方向に直線往復することが好ましい。第２硬貨案内部１０は、狭窄状態のときに送りローラ１６及び逆転ローラ１９の間に硬貨が詰まると、開拡状態をとって、送りローラ１６及び逆転ローラ１９の間の間隔を広げることにより、詰まった硬貨を落下させる。
【００１５】
硬貨識別装置６は、回動シャフト１１〜１３，１７（整流ローラ１５、送りローラ１６及び逆転ローラ１９）の駆動源となる第１モータ２２と、第２硬貨案内部１０を往復動させるときの駆動源となる第２モータ２３とを備えることが好ましい。第１モータ２２はフレーム１４の近くに、第２モータ２３はフレーム１８の近くに各々配置されることが好ましい。第１モータ２２は、例えば複数の歯車からなる歯車機構２４を介して回動シャフト１１〜１３，１７に連結されている。第２モータ２３は、第２硬貨案内部１０を直線往復動させ得る連結機構２５を介して第２硬貨案内部１０のフレーム１８に連結されている。第２硬貨案内部１０には、第２硬貨案内部１０を狭窄方向（図３（ｂ）の矢印Ａ方向）に常時付勢する付勢部２６が一対設けられるとよい。第２硬貨案内部１０は、この付勢部２６によって狭窄方向に付勢されていることが好ましい。付勢部２６は、例えばコイルばねであるとよい。
【００１６】
図４に示すように、整流ローラ１５は、落下してきた硬貨を上方に弾くような方向（図４の矢印Ｂ方向）に回動するとよい。送りローラ１６は、整流ローラ１５を通過した硬貨を下方に落とすような方向（図４の矢印Ｃ１方向）に回動し、逆転ローラ１９は、逆に硬貨を上方に掻き揚げるような方向（図４の矢印Ｃ２方向）に回動するとよい。
【００１７】
図５及び図６（ａ），（ｂ）に示すように、硬貨識別装置６は、第２硬貨案内部１０が第１硬貨案内部９から離間して開拡状態をとるときに硬貨識別器２７（図５参照）の硬貨入口２８ａを覆うシャッタ部３１を備える。例えば、シャッタ部３１は、第２硬貨案内部１０が狭窄状態をとるとき、上から落下してきた硬貨を下方に流すことが可能な開状態（図５及び図６（ａ）の状態）をとり、第２硬貨案内部１０が開拡状態をとるとき、硬貨を硬貨識別器２７に至らなくする閉状態（図６（ｂ）の状態）をとる。例えば、シャッタ部３１は、第２硬貨案内部１０が開拡状態をとるときの動きに連動して閉状態をとることが好ましい。
【００１８】
図５に示すように、硬貨識別装置６は、例えば上面に硬貨入口２８ａが設けられ、底面に硬貨出口２８ｂが設けられる。硬貨識別装置６は、例えば内部に硬貨検出部６０が備えられ、第１硬貨案内部９及び第２硬貨案内部１０を備える硬貨整列器６Ａの下方に配置されることが望ましい。硬貨識別器２７は、例えば、硬貨の額面を識別したり、外国硬貨など受け入れ出来ないものや未知のものを正規の硬貨と区別したりする。硬貨識別装置６の側部には、第２硬貨案内部１０が開拡位置をとったときに落下する硬貨を運賃箱１の硬貨返却口２９（図１参照）に案内する硬貨シュート３０を設けることが好ましい。
【００１９】
図７に示すように、シャッタ部３１は、フレーム１４の内部に固定されたブロック３２に回動可能に取り付けられることが好ましい。ブロック３２は、例えば硬貨識別器２７の上方に配置されるとよい。シャッタ部３１は、硬貨識別器２７の硬貨入口２８ａを開閉可能な弁部３３と、シャッタ部３１の回動軸となる軸部３４と、弁部３３を閉方向（図７の矢印Ｄ２方向）に常時付勢する付勢部３５とを備えることが好ましい。シャッタ部３１は、軸部３４の両端がブロック３２に軸支され、例えば硬貨識別装置６の長さ方向（図７のＸ軸方向）に延びる軸線Ｌ１回りに回動することが好ましい。弁部３３は、例えば略板状に形成されることが好ましい。付勢部３５は、例えばトーションばねであるとよい。
【００２０】
第２硬貨案内部１０のフレーム１８には、ブロック３２の隣に位置するようにスライド枠３９が取り付け固定されることが好ましい。スライド枠３９は、フレーム１８において幅方向の端に配置されることが好ましい。スライド枠３９には、スライド枠３９を閉方向（図７の矢印Ｅ方向）に常時付勢する付勢部３７が取り付けられることが好ましい。付勢部３７は、例えばコイルばねであることが好ましく、一端がスライド枠３９に係止され、他端が第１硬貨案内部９のフレーム１４に係止されるとよい。付勢部３７は、複数設けられるとよい。ブロック３２の側壁には、第２硬貨案内部１０の移動方向（図７のＹ軸方向）に延びるガイド軸３８が複数突設されるとよく、スライド枠３９に貫設された複数の通し孔３９ａに各ガイド軸３８が挿通されるとよい。スライド枠３９には、シャッタ部３１に当接してシャッタ部３１の開閉状態を切り替える押込部４０が設けられることが好ましい。シャッタ部３１の側部には、押込部４０が接触するレバー４１が形成されることが好ましい。
【００２１】
硬貨識別装置６は、第２硬貨案内部１０が開拡方向に動作し始めても、暫くの間、硬貨通路６２を通常の通路幅のまま維持する通路幅調整部４２を備えることが好ましい。通路幅調整部４２は、硬貨識別装置６の幅方向に往復動可能に設けられた開閉板４３と、開閉板４３を閉方向（図７の矢印Ｆ方向）に常時付勢する付勢部４５とを備えることが好ましい。開閉板４３の一端には、開閉板４３がブロック３２に当接したときにブロック３２と開閉板４３との間を硬貨１枚のみ通過可能とするスリット部４４を備えることが好ましい。スリット部４４は、開閉板４３の一端に設けられた凹部であり、硬貨１枚分の厚みに若干の余裕を加えた相当の深さで開閉板４３の一辺を細長く切り欠いた形状を呈する。
【００２２】
開閉板４３の他端寄りの位置には、２つの長孔４６が設けられている。また、第２硬貨案内部１０のフレーム１８には、第２硬貨案内部１０とともに移動するボス基部３６が取り付け固定されている。ボス基部３６には、２つの突起４７が突設されており、これらの突起４７が、スライド枠３９の長孔３９ｂと長孔４６とに各々挿入されており、スライド枠３９及び開閉板４３がボス基部３６に対して各々独立して摺動可能に取り付けられることが好ましい。長孔３９ｂは、長孔４６よりも例えば短く形成される。付勢部４５は、例えば一対で設けられているコイルばねであることが好ましい。
【００２３】
硬貨識別装置６は、第２硬貨案内部１０の狭窄状態又は開拡状態に応じて、受け入れた硬貨の案内方向を切り替える硬貨案内補助部４８を備えることが好ましい。硬貨案内補助部４８は、硬貨の通路を形成する案内壁４９と、案内壁４９の回動軸となる軸部５０と、案内壁４９を立たせる方向（図７の矢印Ｇ１方向）に常時付勢する付勢部５１とを備えることが好ましい。硬貨案内補助部４８は、例えば硬貨識別装置６の長さ方向に延びる軸線Ｌ２回りに回動することが好ましい。ブロック３２の内壁には、第２硬貨案内部１０が開拡状態に作動するとき、案内壁４９を横倒しにする方向（図７の矢印Ｇ２方向）に押す突起５２が設けられることが好ましい。付勢部５１は、例えばトーションばねであることが好ましい。例えば、硬貨案内補助部４８は、第２硬貨案内部１０が狭窄位置をとるとき、硬貨を硬貨識別器２７に案内する第１案内位置（図６（ａ）の状態）をとり、第２硬貨案内部１０が開拡位置をとるとき、硬貨を硬貨シュート３０に案内する第２案内位置（図６（ｂ）の状態）をとることが好ましい。
【００２４】
図８に示すように、硬貨識別装置６は、硬貨受入口２の付近で硬貨の通過を検出することにより硬貨を硬貨受入口２から受け入れたことを検出するセンサ５４と、送りローラ１６及び逆転ローラ１９の下方など硬貨整列器６Ａ周辺で硬貨の通過を検出することにより、送りローラ１６及び逆転ローラ１９の間の硬貨詰まりを検出するセンサ５５ａと、スリット部４４の下方など通路幅調整部４２の周辺で硬貨の通過を検出することにより、スリット部４４における硬貨詰まりを検出するセンサ５５ｂとを備えることが好ましい。硬貨識別装置６は、第２硬貨案内部１０が狭窄状態にあることを検出するセンサ５６と、第２硬貨案内部１０が開拡状態にあることを検出するセンサ５７と、回転シャフト群の回転を検出する前述のセンサ５８とを備えることが好ましい。センサ５４〜５８は、光学センサや磁気センサなど、種々のセンサを採用できる。硬貨識別装置６は、硬貨の種類を検出する硬貨検出部６０を備えることが好ましい。
【００２５】
センサ５４〜５９、第１モータ２２、第２モータ２３及び硬貨検出部６０は、運賃箱に設けられた運賃箱制御部６１によって制御されることが好ましい。運賃箱制御部６１は、センサ５４〜５８及び硬貨検出部６０から入力する検出信号を基に、第１モータ２２及び第２モータ２３を制御することにより、硬貨識別等の各種動作を実行する。
【００２６】
次に、図３、図９〜図１４を用いて、硬貨識別装置６の動作を説明する。
［通常の硬貨識別動作］
図９（ａ）に示すように、硬貨識別装置６は、通常、第２硬貨案内部１０が狭窄状態をとる。ここで、例えば硬貨受入口２に複数枚の硬貨が同時に投入されたとする。運賃箱制御部６１は、硬貨受入口２から硬貨を受け入れたことをセンサ５４で検出すると、第１モータ２２の駆動を開始する。これにより、整流ローラ１５と一対の送りローラ１６及び逆転ローラ１９とが回動を開始する。図９（ｂ）に示すように、硬貨受入口２から受け入れた硬貨は、一対の送りローラ１６及び逆転ローラ１９の間を通って、１枚ずつ下方に落下する。図９（ｃ）に示すように、横向きをとった硬貨は、整流ローラ１５で回されることによって縦向きに向きが変えられて、送りローラ１６及び逆転ローラ１９に送られる。
【００２７】
ところで、送りローラ１６及び逆転ローラ１９の間に２枚以上の硬貨が同時に入り込んだときは、進入しようとする２枚の硬貨が一対のローラ１６，１９を押すことにより、第２硬貨案内部１０が付勢部２６の狭窄方向への付勢力に抗してわずかに開拡方向に動き、２枚の硬貨を同時にローラ間に受け入れようとする。このとき、２枚の硬貨の一方は送りローラ１６によって下方に送られるが、他方は逆転ローラ１９によって上方に掻き揚げられるため、下方に送られた一方の硬貨のみが一対の送りローラ１６及び逆転ローラ１９の間を通過して下方に落下する。そして、第２硬貨案内部１０は、付勢部２６の付勢力に従い狭窄位置へと戻る。このように第２硬貨案内部１０が硬貨に押されて開拡方向に若干動いた場合には、突起４７は長孔３９ｂ及び長孔４６の中を摺動可能であるので、後述するようシャッタ部３１を閉状態にしたり、通路幅調整部４２を開拡状態にしたりすることはない。
【００２８】
図１０に示すように、第２硬貨案内部１０が狭窄状態のとき、通路幅調整部４２は、狭窄状態をとる。このため、通路幅調整部４２がブロック３２の内壁面３２ａと当接する状態をとり、通路幅調整部４２に形成されたスリット部４４の幅のみ、硬貨が通過できる。つまり、第１硬貨案内部９及び第２硬貨案内部１０の間を通り抜けた硬貨は、スリット部４４によって１枚ずつ下方に送られる。
【００２９】
図１１（ａ）に示すように、第２硬貨案内部１０が狭窄状態のとき、硬貨案内補助部４８は硬貨を硬貨識別器２７に案内する第１案内位置をとり、シャッタ部３１は押込部４０に押されて開方向に回ることにより開状態をとる。このため、通路幅調整部４２のスリット部４４を通過した硬貨は、シャッタ部３１及び硬貨案内補助部４８と、内壁面３２ａとの間の通路を通って下方に落下する。図１１（ｂ）に示すように、開状態のシャッタ部３１を通過した硬貨は、直下に位置する硬貨識別器２７の硬貨入口２８ａに至り、硬貨識別器２７によって硬貨種類が識別される。硬貨識別器２７で識別処理を受けた硬貨は、その後、硬貨識別器２７の硬貨出口２８ｂから排出され、運賃箱１の内部にある金庫（図示略）に入る。
【００３０】
［硬貨詰まりの解消動作］
図１２（ａ）に示すように、運賃箱制御部６１は、第１硬貨案内部９及び第２硬貨案内部１０の間で硬貨が詰まったことを例えばセンサ５５ａやセンサ５５ｂで検出すると、第２モータ２３の駆動を開始して、第２硬貨案内部１０の開拡状態への切り替えを開始する。図１２（ｂ）に示すように、第２硬貨案内部１０が第１硬貨案内部９から離間するように直線移動して開拡状態をとると、第１硬貨案内部９及び第２硬貨案内部１０の間の間隔が大きく広げられる。これにより、詰まり硬貨が落下させられる。
【００３１】
ここで、第２硬貨案内部１０が図１３（ａ）に示す狭窄位置から図１３（ｂ）に示す開拡位置へと移動するとき、ボス基部３６はフレーム１８とともに動き始めるものの、スライド枠３９は付勢部３７の付勢力により、また通路幅調整部４２は付勢部４５の付勢力により、各々ブロック３２側へと付勢されて位置保持される。また、突起４７は長孔３９ｂ及び長孔４６の中を摺動可能であるので、ボス基部３６が移動する間も通路幅調整部４２は狭窄位置を保つ。長孔３９ｂは、長孔４６と比較して短いので、突起４７が長孔３９ｂ及び長孔４６の中を摺動するとき、突起４７は、長孔４６の端部に当接する前に長孔３９ｂの端部に当接する。つまり、第２硬貨案内部１０の開拡状態への切り替わりに伴ってシャッタ部３１が閉状態に切り替わる際に、スライド枠３９の開く動作に対し、通路幅調整部４２が開く動作に遅れを生じさせる。この遅れは、長孔３９ｂ及び長孔４６の一端に当接している突起４７が移動して、長孔３９ｂの他端に当接してスライド枠３９を押し始めた後、長孔４６の他端に当接し、通路幅調整部４２を押し始めるまでの時間差によるものである。この遅れ時間は、長孔３９ｂ及び長孔４６の長さの差、突起４７のサイズ、及びボス基部３６の移動速度によって決定される。通路幅調整部４２の開動作に遅れが生じることにより、通路幅調整部４２が狭窄位置から開拡位置へと移動を開始する前に、シャッタ部３１は閉状態に切り替えられる。
【００３２】
図１３（ｃ）に示すように、第２硬貨案内部１０が一定量開くと、突起４７が長孔４６の端に当接して通路幅調整部４２を押すため、通路幅調整部４２がボス基部３６とともに直線移動を開始し、通路幅調整部４２がブロック３２の内壁面３２ａから離間する。これにより、通路幅調整部４２及びブロック３２の間が大きく広げられ、硬貨整列器６Ａの内部に詰まっていた硬貨が一度に下方に落とされる。
【００３３】
図１４（ａ）に示すように、第２硬貨案内部１０が開拡位置に移動するとき、突起５２に押されることにより、硬貨案内補助部４８が付勢部５１の付勢力に抗して横倒しになる方向（図１４（ａ）の矢印Ｇ２方向）に回動を開始する。また、第２硬貨案内部１０が開拡位置に移動するとき、押込部４０がレバー４１から離れていく。これにより、シャッタ部３１が付勢部３５の付勢力によって閉方向（図１４（ａ）の矢印Ｄ２方向）に回動を開始する。
【００３４】
図１４（ｂ）に示すように、第２硬貨案内部１０が完全な開拡状態をとると、シャッタ部３１は閉状態とるとともに、硬貨案内補助部４８は第２案内位置をとる。よって、送りローラ１６及び逆転ローラ１９の間を通過した硬貨は、硬貨識別器２７に至らず、シャッタ部３１及び硬貨案内補助部４８の両方の側壁からなる硬貨通路６２を通って硬貨シュート３０に送られる。硬貨は、硬貨シュート３０を通じて硬貨返却口２９から外部に排出される。
【００３５】
図３（ｂ）に示すように、第２硬貨案内部１０が開拡位置に移動してから一定時間が経過すると、運賃箱制御部６１は、第２モータ２３を逆転させ、第２硬貨案内部１０を、図３（ａ）に示す元の狭窄位置に戻す。このとき、シャッタ部３１が閉状態に、硬貨案内補助部４８が第１案内位置に、通路幅調整部４２が狭窄状態にそれぞれ戻る動きをとる。そして、第２硬貨案内部１０が狭窄位置に戻ると、第１硬貨案内部９及び第２硬貨案内部１０は、前述のように、硬貨１枚のみが通貨可能な程度の間隔をとるように互いに接近し、硬貨を１枚ずつ送ることが可能となるので、硬貨識別装置６は、硬貨識別動作を再開可能となる。
【００３６】
本実施形態の構成によれば、以下に記載の効果を得ることができる。
（１）硬貨識別装置６内の硬貨搬送の経路上にシャッタ部３１を設け、第２硬貨案内部１０が第１硬貨案内部９から離間して詰まった硬貨を落下させるとき、シャッタ部３１を閉状態にして、硬貨識別器２７の硬貨入口２８ａをシャッタ部３１によって覆う。このため、詰まり硬貨が硬貨識別器２７の硬貨入口２８ａに一気に流入する状況が生じ難くなる。よって、硬貨識別器２７の硬貨入口２８ａにおける硬貨詰まりを生じ難くすることができる。
【００３７】
（２）シャッタ部３１は、第２硬貨案内部１０が開拡状態をとるときの動きに連動して閉状態をとる。このため、第２硬貨案内部１０が開拡状態への動作を開始すれば、それに応じてシャッタ部３１も閉状態への動作を開始する。よって、シャッタ部３１の閉状態への作動をタイミングよく開始することができる。
【００３８】
（３）硬貨識別装置６に通路幅調整部４２を設け、シャッタ部３１が閉方向に動作し始めても、暫くの間、通路幅調整部４２をそのままにして、硬貨の通路幅を通常の状態、すなわち１枚の硬貨のみ通過可能な通路径に維持する。このため、詰まり硬貨の群がまとめて落下してくる前に、シャッタ部３１を予め閉状態に切り替えておくことが可能となるので、シャッタ部３１が閉じ切るとき、落下してきた硬貨を挟んでしまう状況を生じ難くすることができる。
【００３９】
（４）硬貨識別装置６に硬貨案内補助部４８を設け、第２硬貨案内部１０が狭窄状態のときは、第１案内位置をとる硬貨案内補助部４８により、落下硬貨を硬貨識別器２７に案内し、第２硬貨案内部１０が開拡状態のときは、第２案内位置をとる硬貨案内補助部４８により、落下硬貨を硬貨シュート３０に案内する。よって、落下硬貨を硬貨案内補助部４８によって適切な方向に流すことができる。
【００４０】
なお、実施形態はこれまでに述べた構成に限らず、以下の態様に変更してもよい。
・シャッタ部３１は、硬貨識別器２７の硬貨入口２８ａを完全に塞ぐことに限らず、硬貨入口２８ａに硬貨が流入することを防ぐことができればよい。例えば、硬貨入口２８ａの一部のみを塞ぐことで硬貨が進入不能にするものであってもよい。
【００４１】
・シャッタ部３１は、回動部材に限らず、直線方向に往復動するスライド部材としてもよい。
・シャッタ部３１は、例えば開方向に常時付勢されていて、第２硬貨案内部１０が開拡方向へ作動したとき、その移動に応じて閉方向に押されることにより、閉状態に移行する動きをとるものでもよい。
【００４２】
・通路幅調整部４２に形成される長孔４６は、２つに限らず、例えば１つや３つとしてもよい。
・通路幅調整部４２は、直線往復動するスライド部材に限らず、ある軸回りに回動する回動部材でもよい。
【００４３】
・通路幅調整部４２は、例えば開拡方向に常時付勢されていて、第２硬貨案内部１０が開拡方向へ作動したとき、ある規制が外れて、付勢部によって開拡状態に切り替わるものでもよい。
【００４４】
・硬貨案内補助部４８は、回動部材に限らず、直線方向に往復動するスライド部材でもよい。
・硬貨案内補助部４８は、例えば第２案内位置の方向に常時付勢されていて、第２硬貨案内部１０が開拡方向へ作動したとき、ある規制が外れ、付勢部によって第２案内位置に切り替わるものでもよい。
【００４５】
・シャッタ部３１の閉じ動作は、第２硬貨案内部１０の開拡方向への動作に連動することに限定されない。つまり、シャッタ部３１は、第２硬貨案内部１０の動作とは独立したかたちで、自ら閉状態に切り替わる構造をとってもよい。
【００４６】
・シャッタ部３１の開閉は、例えばアクチュエータ（モータやソレノイド等）を駆動源にして切り替えてもよい。
・第１硬貨案内部９や第２硬貨案内部１０の構造は、実施形態に記載以外の構造に適宜変更できる。
【００４７】
・運賃箱１は、紙幣受入口から受け入れた紙幣の両替硬貨や釣り銭硬貨を硬貨返却口２９から排出可能としてもよい。
・運賃箱１は、磁気カードやＩＣカード等により運賃の精算を可能としてもよい。
【００４８】
・硬貨が詰まったとき、その旨を運賃箱１の表示部（ディスプレイ）で通知してもよい。
・硬貨識別装置６は、運賃箱１に適用されることに限らず、他の装置や機器に適用することも可能である。例えば、入場券や乗車券等の券類を販売する券売機や、飲料や煙草等の自動販売機を挙げることができる。これらの他にも、一度に複数枚の硬貨を受け入れる構造の硬貨受入部を備えた機器類一般に適用することが可能である。
【００４９】
次に、上記実施形態及び別例から把握できる技術的思想について、それらの効果とともに以下に追記する。
（イ）前記硬貨識別装置を備えた運賃箱において、前記硬貨識別装置は、前記第２硬貨案内部が前記第１硬貨案内部から離間して開拡状態をとるときに前記硬貨識別器の硬貨入口を覆うシャッタ部を備えたことを特徴とする運賃箱。本構成によれば、請求項１と同様の作用効果を運賃箱において得ることが可能である。
【符号の説明】
【００５０】
６…硬貨識別装置、６Ａ…硬貨整列器、９…第１硬貨案内部、１０…第２硬貨案内部、２７…硬貨識別器、２８ａ…硬貨入口、３１…シャッタ部、４２…通路幅調整部、４８…硬貨案内補助部
【図１】
2015102970.tif 000003
【図２】
2015102970.tif 000004
【図３】
2015102970.tif 000005
【図４】
2015102970.tif 000006
【図５】
2015102970.tif 000007
【図６】
2015102970.tif 000008
【図７】
2015102970.tif 000009
【図８】
2015102970.tif 000010
【図９】
2015102970.tif 000011
【図１０】
2015102970.tif 000012
【図１１】
2015102970.tif 000013
【図１２】
2015102970.tif 000014
【図１３】
2015102970.tif 000015
【図１４】
2015102970.tif 000016